Podtech/llm-jp-corpus-v4-ja_patent huggingface dataset:
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
配列番号１のヒトＢＣＬ１１Ａ遺伝子又はＢＣＬ１１ＡのメッセンジャーＲＮＡ（ｍＲＮＡ）アイソフォームのヌクレオチド４１０〜４５０から選択される領域内の連続配列の逆相補配列と少なくとも８０％同一である配列を含むヒトＢＣＬ１１Ａの発現を減少させることができるアンチセンスオリゴヌクレオチドであって、該アンチセンスオリゴヌクレオチドはギャップマーである、アンチセンスオリゴヌクレオチド。
【請求項２】
前記アンチセンスオリゴヌクレオチドは、式Ｘａ−Ｙｂ−Ｘａ’（式中、
Ｘはヌクレオチド類似体であり、
ＹはＤＮＡの連続配列であり、
ａは１、２、３、４又は５であり、
ａ’は１、２、３、４又は５であり、及び
ｂは５〜１５の整数である）
によって表される、請求項１記載のアンチセンスオリゴヌクレオチド。
【請求項３】
ａ及び／又はａ’は、２〜４である、請求項２記載のアンチセンスオリゴヌクレオチド。
【請求項４】
ｂは、７〜１０の整数である、請求項２又は３記載のアンチセンスオリゴヌクレオチド。
【請求項５】
前記アンチセンスオリゴヌクレオチドは、１９ヌクレオチド未満の長さである、請求項１〜４のいずれか一項記載のアンチセンスオリゴヌクレオチド。
【請求項６】
前記オリゴヌクレオチドは、１０〜１６ヌクレオチドの長さである、請求項５記載のアンチセンスオリゴヌクレオチド。
【請求項７】
前記オリゴヌクレオチドは、２’−Ｏ−アルキル−ＲＮＡ単位、２’−ＯＭｅ−ＲＮＡ単位、２’−Ｏ−アルキル−ＤＮＡ、２’−アミノ−ＤＮＡ単位、２’−フルオロ−ＤＮＡ単位、ＬＮＡ単位、アラビノ核酸（ＡＮＡ）単位、２’−フルオロ−ＡＮＡ単位、ＨＮＡ単位、ＩＮＡ単位及び２’ＭＯＥ単位からなる群より選択される少なくとも１つのヌクレオチド類似体を含む、請求項１〜６のいずれか一項記載のアンチセンスオリゴヌクレオチド。
【請求項８】
前記ヌクレオチド類似体は、ベータ−Ｄ−オキシ−ＬＮＡ、アルファ−Ｌ−オキシ−ＬＮＡ、ベータ−Ｄ−アミノ−ＬＮＡ、アルファ−Ｌ−アミノ−ＬＮＡ、ベータ−Ｄ−チオ−ＬＮＡ、アルファ−Ｌ−チオ−ＬＮＡ、５’−メチル−ＬＮＡ、ベータ−Ｄ−ＥＮＡ及びアルファ−Ｌ−ＥＮＡからなる群より選択されるＬＮＡ単位である、請求項７記載のアンチセンスオリゴヌクレオチド。
【請求項９】
前記オリゴヌクレオチドは、少なくとも１つのホスホロチオエート結合を含む、請求項１〜８のいずれか一項記載のアンチセンスオリゴヌクレオチド。
【請求項１０】
前記オリゴヌクレオチドは、ＲＮＡａｓｅＨをリクルートすることができる、請求項１〜９のいずれか一項記載のアンチセンスオリゴヌクレオチド。
【請求項１１】
前記アンチセンスオリゴヌクレオチドは、配列番号６３、配列番号６４、配列番号６５、配列番号６６、配列番号６７、配列番号６８、配列番号６９、配列番号７０、配列番号７１、配列番号７２、配列番号７３及び配列番号７４からなる群より選択されるオリゴヌクレオチド配列モチーフを含む、請求項１〜１０のいずれか一項記載のアンチセンスオリゴヌクレオチド。
【請求項１２】
前記アンチセンスオリゴヌクレオチドは、配列番号１１、配列番号１５、配列番号３２、配列番号２１、配列番号３４、配列番号１０、配列番号１２、配列番号１３、配列番号１４、配列番号１６、配列番号１７、配列番号１８、配列番号１９、配列番号２０、配列番号２２、配列番号２３、配列番号２４、配列番号２５、配列番号２６、配列番号２７、配列番号２８、配列番号２９、配列番号３０、配列番号３１、配列番号３３、配列番号３５、配列番号３６、配列番号３７、配列番号３８、配列番号３９、配列番号４０、配列番号４１、配列番号４２、配列番号４３、配列番号４４、配列番号４５、配列番号４６、配列番号４７、配列番号４８、配列番号４９、配列番号５０、配列番号５１、配列番号５２、配列番号５３、配列番号５４、配列番号５５、配列番号５６、配列番号５７、配列番号５８、配列番号５９、配列番号６０、配列番号６０、配列番号６１又は配列番号から選択される配列を有する、請求項１〜１１のいずれか一項記載のアンチセンスオリゴヌクレオチド。
【請求項１３】
前記アンチセンスオリゴヌクレオチドは、5'-mCso Aso Tsots gs cs as ts tsgs ts ts ts mCsomCso Go -3'（配列番号１１）、5'-mCso Gso Tsots ts gs ts gs cs ts mcsgsasTsoAsoAo-3'（配列番号１５）、5'-mCso Gso Tsots ts gs ts gs csts mcs gs AsoTso Ao-3'（配列番号３２）5'-TsoTso Gso ts gs cs ts mcs gs as ts Aso Aso Ao-3'（配列番号１４）又は5'-mCso Gso Tsots ts gs ts gs csts cs Gso AsoTo-3'（配列番号３５）（配列中、大文字はロックド核酸（ＬＮＡ）単位を示し、下付きの「ｓ」は、ホスホロチオエート結合を表し、小文字はデオキシリボヌクレオチド（ＤＮＡ）単位を表し、「ｍＣ」は、５’メチル−シトシンＬＮＡ単位を表し、「ｍｃ」は５’メチル−シトシンＤＮＡ単位を表す）である、請求項１〜１２のいずれか一項記載のアンチセンスオリゴヌクレオチド。
【請求項１４】
請求項１〜１３のいずれか一項記載のアンチセンスオリゴヌクレオチド、及び薬学的に許容し得る担体を含む医薬組成物。
【請求項１５】
鎌状赤血球症又はβ−サラセミアなどの貧血性疾患、障害又は状態の処置用などの医薬として使用するための、請求項１〜１３のいずれか一項記載のアンチセンスオリゴヌクレオチド又は請求項１４記載の医薬組成物。
【請求項１６】
鎌状赤血球症又はβ−サラセミアなどの貧血性疾患、障害又は状態の処置用の医薬の製造のための、請求項１〜１３のいずれか一項記載のアンチセンスオリゴヌクレオチド又は請求項１４記載の医薬組成物の使用。
【請求項１７】
請求項１〜１３のいずれか一項記載のアンチセンスオリゴヌクレオチド又は請求項１４記載の医薬組成物を、処置を必要とする被験者に投与することを含む、ＢＣＬ１１Ａを阻害する方法。
【請求項１８】
請求項１〜１３のいずれか一項記載のアンチセンスオリゴヌクレオチド、又は請求項１４記載の医薬組成物を、処置を必要とする被験者に投与することを含む、貧血性疾患、障害又は状態を処置する方法。
【請求項１９】
前記貧血性疾患、障害又は状態は、鎌状赤血球症である、請求項１８記載の方法。
【請求項２０】
前記貧血性疾患、障害又は状態は、β−サラセミアである、請求項１８記載の方法。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
流体サンプリングシステムであって、前記システムは、
筐体と、
少なくとも１つの流体サンプルを第１のサンプル部位から引き出すための第１のポンプ手段と、
前記少なくとも１つの流体サンプルの少なくとも一部を第２のサンプル部位に戻すための手段と、
前記少なくとも１つの第１の流体の少なくともある体積をサンプリング手段に移送するための移送手段と、
前記第１のサンプル部位に少なくとも１つの活性物質を提供するための第２のポンプ手段と、
前記少なくとも１つの活性物質を含むリザーバへの少なくとも１つの接続部と、
少なくとも前記第１のポンプ手段および前記第２のポンプ手段を駆動するための少なくとも１つのエネルギー源と
を備え、流体サンプリングシステムは、少なくとも１つの流体サンプルを引き出すと同時に前記少なくとも１つの流体サンプルの少なくとも一部を戻すように適合させられる、システム。
【請求項２】
前記少なくとも１つの活性物質は、前記第１のサンプル部位および／またはその近傍に添加される、請求項１に記載の流体サンプリングシステム。
【請求項３】
前記少なくとも１つの活性物質は、抗凝固剤を含む、請求項１〜２のいずれかに記載の流体サンプリングシステム。
【請求項４】
前記少なくとも１つの活性物質の前記リザーバは、前記筐体の内側に構成される、請求項１〜３のいずれかに記載の流体サンプリングシステム。
【請求項５】
前記リザーバを充填するための手段を備える、請求項１〜４のいずれかに記載の流体サンプリングシステム。
【請求項６】
前記流体サンプルを引き出すため、前記流体サンプルの少なくとも一部を戻すため、および／または、前記少なくとも１つの活性物質を提供するための１つ以上のカテーテルを備える、請求項１〜５のいずれかに記載の流体サンプリングシステム。
【請求項７】
前記抗凝固剤は、クエン酸［三］ナトリウムである、請求項１〜６のいずれかに記載の流体サンプリングシステム。
【請求項８】
前記活性物質は、センサを較正するための内部標準として使用される、請求項１〜４のいずれかに記載の流体サンプリングシステム。
【請求項９】
前記活性物質は、別の物質の濃度を正確に決定するための標準として使用される、請求項１〜８のいずれかに記載の流体サンプリングシステム。
【請求項１０】
体液をサンプリングするためのシステムであって、前記システムは、
時間間隔Δｔの間、第１のサンプル部位にまたはその近傍にある第２の管腔を通して活性物質を提供するための手段と、
時間間隔Δｔの間、前記第１のサンプル部位から第１の管腔を通して流体サンプルを継続的または周期的に引き出すための手段と、
記憶および／または分析のために、前記流体サンプルの少なくとも一部をサンプリング手段に自動的に移送するための手段と、
前記サンプリング手段に移送されない前記流体の少なくとも一部を、第３の管腔を通して戻すための手段と
を備える、システム。
【手続補正２】
【補正対象書類名】明細書
【補正対象項目名】０００８
【補正方法】変更
【補正の内容】
【０００８】
本発明は、例えば、以下を提供する：
（項目１）
流体サンプリングシステムであって、前記システムは、
筐体と、
少なくとも１つの流体サンプルを第１のサンプル部位から引き出すための第１のポンプ手段と、
前記少なくとも１つの流体サンプルの少なくとも一部を第２のサンプル部位に戻すための手段と、
前記少なくとも１つの第１の流体の少なくともある体積をサンプリング手段に移送するための移送手段と、
前記第１のサンプル部位に少なくとも１つの活性物質を提供するための第２のポンプ手段と、
前記少なくとも１つの活性物質を含むリザーバへの少なくとも１つの接続部と、
少なくとも前記第１のポンプ手段および前記第２のポンプ手段を駆動するための少なくとも１つのエネルギー源と
を備え、流体サンプリングシステムは、少なくとも１つの流体サンプルを引き出すと同時に前記少なくとも１つの流体サンプルの少なくとも一部を戻すように適合させられる、システム。
（項目２）
前記少なくとも１つの活性物質は、前記第１のサンプル部位および／またはその近傍に添加される、項目１に記載の流体サンプリングシステム。
（項目３）
前記少なくとも１つの活性物質は、抗凝固剤を含む、前記項目のいずれかに記載の流体サンプリングシステム。
（項目４）
前記少なくとも１つの活性物質の前記リザーバは、前記筐体の内側に構成される、前記項目のいずれかに記載の流体サンプリングシステム。
（項目５）
前記リザーバを充填するための手段を備える、前記項目のいずれかに記載の流体サンプリングシステム。
（項目６）
前記流体サンプルを引き出すため、前記流体サンプルの少なくとも一部を戻すため、および／または、前記少なくとも１つの活性物質を提供するための１つ以上のカテーテルを備える、前記項目のいずれかに記載の流体サンプリングシステム。
（項目７）
前記抗凝固剤は、クエン酸［三］ナトリウムである、前記項目のいずれかに記載の流体サンプリングシステム。
（項目８）
前記活性物質は、センサを較正するための内部標準として使用される、前記項目のいずれかに記載の流体サンプリングシステム。
（項目９）
前記活性物質は、別の物質の濃度を正確に決定するための標準として使用される、前記項目のいずれかに記載の流体サンプリングシステム。
（項目１０）
体液をサンプリングするための方法であって、前記方法は、
時間間隔Δｔの間、第１のサンプル部位にまたはその近傍にある第２の管腔を通して活性物質を提供するステップと、
時間間隔Δｔの間、前記第１のサンプル部位から第１の管腔を通して流体サンプルを継続的または周期的に引き出すステップと、
記憶および／または分析のために、前記流体サンプルの少なくとも一部をサンプリング手段に自動的に移送するステップと、
前記サンプリング手段に移送されない前記流体の少なくとも一部を、第３の管腔を通して戻すステップと
を含む、方法。
（項目１１）
項目１〜１０に記載の流体サンプリングシステムを用いて実施される、体液をサンプリングするための方法。
前述の問題を考慮して、本発明の局面は、流体の連続的および／または周期的なサンプリングを可能にするシステムを提供することである。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ラパマイシン誘導体薬を含む埋め込み型医療用デバイスの製造方法であって、
ラパマイシン誘導体薬を合成する工程と；
溶媒に溶解した実質的に純粋なラパマイシン誘導体薬が得られる技術を使用して、前記ラパマイシン誘導体薬を精製する工程であって、当該精製技術に使用される溶媒が、前記ラパマイシン誘導体薬を含むコーティング組成物の製造に使用される工程と；
前記溶媒中のラパマイシン誘導体薬の重量パーセントを測定する工程と；
前記溶媒中のラパマイシン誘導体薬の重量パーセントが、埋め込み型医療用デバイスに塗布される前記コーティング組成物中に所望される重量パーセントとなるように、前記溶媒の量を調節する工程と；
薬学的に許容される抗酸化安定剤を、前記ラパマイシン誘導体薬の重量に基づいて所望の重量パーセント添加し、前記コーティング組成物を形成する工程と；
前記コーティング組成物を前記埋め込み型医療用デバイス上に配置して、薬物リザーバ層を形成する工程と；
を含む方法。
【請求項２】
前記組成物を前記埋め込み型医療用デバイス上に配置する前に、マトリックスポリマーを前記コーティング組成物に添加する工程をさらに含む、請求項１に記載の方法。
【請求項３】
前記薬物リザーバ層を乾燥する工程を更に含む、請求項１に記載の方法。
【請求項４】
前記埋め込み型医療用デバイスを担持輸送手段上に取り付ける工程を更に含む、請求項２に記載の方法。
【請求項５】
前記担持輸送手段がカテーテルである、請求項４に記載の方法。
【請求項６】
前記埋め込み型デバイスが取り付けられた担持輸送手段が滅菌される、請求項５に記載の方法。
【請求項７】
滅菌がエチレンオキサイド滅菌、電子線滅菌またはγ線滅菌を含む、請求項６に記載の方法。
【請求項８】
滅菌された、前記埋め込み型デバイスが取り付けられた担持輸送手段が不活性雰囲気下で遮光性容器に包装される、請求項７に記載の方法。
【請求項９】
合成されたラパマイシン薬が、４０−Ｏ−置換ラパマイシン、エベロリムス、テムシロリムス、デフォロリムス、リダフォロリムス、メリリムス、バイオリムス、ウミロリムスおよび１６−ペンタ−２−イニルオキシ−３２（Ｓ）−ジヒドロラパマイシンからなる群から選択される、請求項１に記載の方法。
【請求項１０】
合成されたラパマイシン誘導体薬が、ゾタロリムス、１６−Ｏ−置換ラパマイシン、ノボリマス、およびマイオリムスからなる群から選択される、請求項１に記載の方法。
【請求項１１】
前記薬学的に許容される抗酸化安定剤が、ブチルフェノール、ブチルヒドロキシトルエン（ＢＨＴ）、ブチルヒドロキシアニソール、ｔ−ブチルハイドロキノン、キノン、没食子酸アルキル、没食子酸メチル、没食子酸エチル、没食子酸プロピル、没食子酸オクチル、没食子酸ドデシル、レスベラトロール、システイン、ｎ−アセチルシステイン、ブシラミン、グルタチオン、７−ヒドロキシエチルルトシド、カルベジロール、ビタミンＣ、パルミチン酸アスコルビル、フマル酸、トコフェロール、α−トコフェロール、酢酸α−トコフェロール、トコトリエノール、ビタミンＥ、リコピン、フラボノイド、カロテノイド、カロチン、およびこれらの組み合わせからなる群から選択される、請求項１に記載の方法。
【請求項１２】
前記薬学的に許容される抗酸化安定剤がＢＨＴである、請求項１１に記載の方法。
【請求項１３】
合成されたラパマイシン誘導体薬の精製が、溶出（カラム）クロマトグラフィー、高速液体クロマトグラフィー、高速向流クロマトグラフィー、平面クロマトグラフィー、超臨界流体クロマトグラフィー、液−液抽出および固液抽出からなる群から選択される、請求項１に記載の方法。
【請求項１４】
前記精製処理に使用され、また、前記コーティング組成物用の溶媒としても好適な前記溶媒が、メタノール、エタノール、プロパノール、ｎ−プロパノール、イソプロパノール、ブタノール、ペンタン、ヘキサン、ヘプタン、オクタン、ノナン、酢酸メチル、酢酸エチル、酢酸プロピル、酢酸ブチル、トルエン、キシレン、アセトン、メチルエチルケトン（ＭＥＫ）、シクロペンタノン、シクロヘキサノン、ジエチルエーテル、ジプロピルエーテル、ジイソプロピルエーテル、テトラヒドロフラン、ジオキサン、ジメチルホルムアミド、ジメチルアセトアミド、ジメチルスルホキシド、およびこれらの組み合わせからなる群から選択される、請求項１３に記載の方法。
【請求項１５】
溶媒中のラパマイシン誘導体薬が所望の重量パーセントになるように前記溶媒の量を調節する工程が、前記コーティング組成物から溶媒を除去することまたは前記コーティング組成物に溶媒を添加することを含む、請求項１に記載の方法。
【請求項１６】
前記マトリックスポリマーが、ポリエステル、ポリ（Ｌ−ラクチド）、ポリ（Ｄ−ラクチド）、ポリ（Ｄ，Ｌ−ラクチド）、ポリ（メソラクチド）、ポリ（Ｌ−ラクチド−ｃｏ−グリコリド）、ポリ（Ｄ−ラクチド−ｃｏ−グリコリド）、ポリ（Ｄ，Ｌ−ラクチド−ｃｏ−グリコリド）、ポリ（メソラクチド−ｃｏ−グリコリド）、ポリ（カプロラクトン）、ポリ（Ｌ−ラクチド−ｃｏ−カプロラクトン）、ポリ（グリコリド−ｃｏ−カプロラクトン）、ポリ（ヒドロキシバレレート）、ポリ（ヒドロキシブチレート）、ポリ（エチレングリコール−ｃｏ−ブチレンテレフタレート）、ポリ（メタクリル酸ｎ−ブチル）、フルオロポリマー、ポリ（フッ化ビニリデン−ｃｏ−ヘキサフルオロプロピレン）ならびに、これらのブレンドおよび共重合体からなる群から選択される、請求項２に記載の方法。
【請求項１７】
前記マトリックスポリマーがポリ（フッ化ビニリデン−ｃｏ−ヘキサフルオロプロピレン）である、請求項１６に記載の方法。
【請求項１８】
前記コーティング組成物を埋め込み型医療用デバイス上に配置して、前記薬物リザーバ層を形成する工程が、スプレーコーティングを含む、請求項１に記載の方法。
【請求項１９】
前記埋め込み型医療用デバイスがステントである、請求項１に記載の方法。
【請求項２０】
前記埋め込み型医療用デバイスがステントである、請求項２に記載の方法。
【請求項２１】
前記薬学的に許容される抗酸化安定剤がＢＨＴである、請求項２０に記載の方法。
【請求項２２】
前記ラパマイシン誘導体薬がエベロリムスまたはノボリマスである、請求項２１に記載の方法。
【請求項２３】
前記ラパマイシン誘導体薬がエベロリムスであり、前記ステント上に存在するエベロリムスの重量に基づくＢＨＴの前記重量パーセントが約０．００１〜約０．０１％であるか、あるいは
前記ラパマイシン誘導体薬がノボリマスであり、前記ステント上に存在するノボリマスの重量に基づくＢＨＴの前記重量パーセントが約０．００１〜約０．０１％である、請求項２２に記載の方法。
【請求項２４】
全処理工程が終了した後に前記ステント上に残存するＢＨＴの量が検出不可能である、請求項２３に記載の方法。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
組立体であって、ステントと、前記ステント上又は内部に配置されたセンサとを含む、組立体。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
複数のピクセルを含む光検出器と、
該光検出器と光学的に関連する硬質撮像先端部と
を含み、
前記硬質撮像先端部は、前記光検出器に対して一定の焦点距離に焦点面を画定する、遠位端を含むとともに、前記硬質撮像先端部の前記遠位端は、組織と接触して設置されて前記組織を前記焦点面に維持するように構築されている、手持ち式医用撮像装置。
【請求項２】
光検出器と硬質撮像先端部の間に配置された光誘導要素をさらに含み、該光誘導要素は、閾波長より下の光を、前記硬質撮像先端部の遠位端に向かって反射し、前記閾波長より上の光を前記光誘導要素に向かって透過させるように適合されている、請求項１に記載の手持ち式医用撮像装置。
【請求項３】
光誘導要素が二色性ミラーである、請求項２に記載の手持ち式医用撮像装置。
【請求項４】
閾値が、選択された造影剤の発光波長よりも小さく、該造影剤の励起波長よりも大きい、請求項２または３に記載の手持ち式医用撮像装置。
【請求項５】
励起波長と発光波長の両方が、境界を含めて約５９０ｎｍから８５０ｎｍの間である、請求項４に記載の手持ち式医用撮像装置。
【請求項６】
励起波長と発光波長の両方が、境界を含めて約３００ｎｍから１０００ｎｍの間である、請求項４に記載の手持ち式医用撮像装置。
【請求項７】
閾値が、光誘導要素と関連する第１の照明源により供給される、選択された造影剤の第１の励起波長よりも大きい、請求項２〜６のいずれか一項に記載の手持ち式医用撮像装置。
【請求項８】
第１の照明源をさらに含む、請求項７に記載の手持ち式医用撮像装置。
【請求項９】
光誘導要素と関連する第２の照明源をさらに含み、該第２の照明源は閾波長よりも大きい第２の波長を提供する、請求項８に記載の手持ち式医用撮像装置。
【請求項１０】
光誘導要素と関連する第２の照明源をさらに含み、該第２の照明源は造影剤の第２の励起波長を提供する、請求項８に記載の手持ち式医用撮像装置。
【請求項１１】
第１の照明源が脈動するように適合されている、請求項８〜１０のいずれか一項に記載の手持ち式医用撮像装置。
【請求項１２】
第１の照明源が、境界を含めて約５９０ｎｍから６８０ｎｍの間の波長で光を供給する、請求項８〜１１のいずれか一項に記載の手持ち式医用撮像装置。
【請求項１３】
第１の照明源が、焦点面において、境界を含めて１０ｍＷ／ｃｍ２から２００ｍＷ／ｃｍ２の間の照明を提供する、請求項８〜１２のいずれか一項に記載の手持ち式医用撮像装置。
【請求項１４】
光検出器と硬質撮像先端部の間に位置する光学系をさらに含み、該光学系の倍率が、複数のピクセルの各ピクセルに対して、約５μｍから１００μｍの間の視野をもたらす、請求項１〜１３のいずれか一項に記載の手持ち式医用撮像装置。
【請求項１５】
光学系が視野を拡大する、請求項１４に記載の手持ち式医用撮像装置。
【請求項１６】
光学系が視野を縮小する、請求項１４に記載の手持ち式医用撮像装置。
【請求項１７】
光学系が、境界を含めて約５ｍｍから１５ｍｍの間の直径を有するアパーチャを含む、請求項１４〜１６のいずれか一項に記載の手持ち式医用撮像装置。
【請求項１８】
光学系が、対物レンズと結像レンズとを含む、請求項１４〜１７のいずれか一項に記載の手持ち式医用撮像装置。
【請求項１９】
光学系の被視界深度は、境界を含めて約０．１ｍｍから１０ｍｍの間である、請求項１４〜１８のいずれか一項に記載の手持ち式医用撮像装置。
【請求項２０】
光検出器と硬質撮像先端部の遠位端の間の光学経路が、境界を含めて約２５°から６５°の間の角度を有する屈曲部を含む、請求項１〜１９のいずれか一項に記載の手持ち式医用撮像装置。
【請求項２１】
硬質撮像先端部の遠位端が、事前選択された波長に透過性である平坦な窓を含む、請求項１〜２０のいずれか一項に記載の手持ち式医用撮像装置。
【請求項２２】
硬質撮像先端部の遠位端が開放されており、前記硬質撮像先端部は、該硬質撮像先端部の側面に少なくとも１つの開口を含み、前記硬質撮像先端部の前記遠位端への外科的アクセスを提供する、請求項１〜２０のいずれか一項に記載の手持ち式医用撮像装置。
【請求項２３】
硬質撮像先端部が、視野中に延びる少なくとも１つの配向機構を含む、請求項１〜２２のいずれか一項に記載の手持ち式医用撮像装置。
【請求項２４】
光検出器の焦点を、固定焦点距離から、硬質撮像先端部の遠位端を超えて位置する第２の焦点距離へと変更するように適合された、集束要素をさらに含む、請求項１〜２３のいずれか一項に記載の手持ち式医用撮像装置。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
ユーザの連続グルコースモニタリングのための装置であって、
前記ユーザの身体に挿入可能な検体センサと共に動作可能なセンサ制御装置を備え、該センサ制御装置が、
前記検体センサから受信したデータを処理するよう構成された検体モニタリング回路と、
前記検体モニタリング回路と通信可能に接続されたプロセッサと、
前記プロセッサと接続された光作動センサを含む作動回路であって、前記光作動センサが光学的な光を感知すると、前記プロセッサに電力を供給して前記プロセッサが動作を開始できるようにするために前記プロセッサに電源を接続するよう構成された作動回路と、
を備えることを特徴とする装置。
【請求項２】
前記光作動センサが、光学的な光を感知すると電流が流れるのを可能にする光学的に作動可能なスイッチである、請求項１記載の装置。
【請求項３】
前記光作動センサが光ダイオードまたは光トランジスタである、請求項１記載の装置。
【請求項４】
前記センサ制御装置が前記電源を含む、請求項１記載の装置。
【請求項５】
前記プロセッサが前記電源に接続されると開始ルーチンを行い、前記作動回路に、前記電源からの電力を受け取り続けるために前記光作動センサをバイパスさせる、請求項４記載の装置。
【請求項６】
前記センサ制御装置と接続され、前記センサ制御装置を前記ユーザに適用するためのアプリケータであって、前記光作動センサが光学的な光に露出されるのを防止するよう構成されたカバーを有するアプリケータを更に備える、請求項１記載の装置。
【請求項７】
前記カバーが、前記アプリケータに着脱可能なエンドキャップである、請求項６記載の装置。
【請求項８】
前記センサ制御装置が前記アプリケータ内に収容され、前記エンドキャップが、前記アプリケータの開口部であって該開口部を通してセンサ制御装置を配置可能な開口部を覆うよう構成される、請求項７記載の装置。
【請求項９】
前記光作動センサが、前記センサ装置のハウジングの透明または半透明の窓に隣接するよう前記センサ制御装置内に収容される、請求項１記載の装置。
【請求項１０】
前記センサ制御装置が、該センサ制御装置を前記ユーザに接続するための接着剤で略完全に覆われた表面を有し、光学的な光が前記窓を通過するのを可能にするために、前記表面の一部は接着剤で覆われていない、請求項９記載の装置。
【請求項１１】
「Bluetooth」送信器を更に備える、請求項１記載の装置。
【請求項１２】
前記センサ制御装置が、アラーム条件が存在するか否かを決定するために、感知された検体データを解釈する、請求項１記載の装置。
【請求項１３】
前記検体センサを更に備える、請求項１記載の装置。
【請求項１４】
ユーザの連続検体モニタリングのためのセンサ制御装置を準備する方法であって、
前記センサ制御装置を収容しているアプリケータからカバーを除去する工程と、
光作動センサが前記センサ制御装置内のプロセッサの作動を開始させるように、前記光作動センサを光学的な光に露出させる工程と、
を備える方法。
【請求項１５】
前記光作動センサが前記センサ制御装置内に収容されている、請求項１４記載の方法。
【請求項１６】
前記カバーがエンドキャップである、請求項１４記載の方法。
【請求項１７】
読取器装置を用いて、前記プロセッサの開始の確認を行う工程を更に備える、請求項１４記載の方法。
【請求項１８】
前記光作動センサが、光学的な光に露出されると、前記プロセッサを作動させるための電源による電力供給を可能にする、請求項１４記載の方法。
【請求項１９】
前記プロセッサが、作動されると、前記プロセッサへの電力の供給を維持するために前記光作動センサをバイパスする、請求項１８記載の方法。
【請求項２０】
前記検体がグルコースである、請求項１４記載の方法。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
歯科材料を分配するためのペン型ディスペンサーであって、
ディスペンサーの長手方向軸を中心として互いに相対的に回転可能なハンドル及びカバーを備え、前記カバーは開口部を有し、
前記ディスペンサーが、
歯科材料を保持し、前記歯科材料のための分配口を有するカートリッジと、
螺合作用によって前記カートリッジから前記歯科材料を押し出すためのスクリュープランジャと、を更に含み、
前記カートリッジ及び前記カバーが組み合わされて、前記カバーが前記カートリッジの分配口を閉じる状態にある格納位置と、前記カバー内の開口部が前記カートリッジの分配口を開く状態にある分配位置との間を、前記長手方向軸を中心とする回転により動作可能である回転すべり弁を形成し、
前記ディスペンサーは、長手方向軸を中心とした前記スクリュープランジャと前記ハンドルとの間の相対回転を制限するように適合されており、
さらに、前記長手方向軸を中心とした前記カートリッジと前記カバーとの間の相対回転を予め定められた回転角度内において有効にし、それ以外の角度では制限するように適合されている、歯科材料を分配するためのペン型ディスペンサー。
【請求項２】
前記ハンドルの内側に、その長さの少なくとも一部にわたって、実質的に均一な非環状の内側断面が延び、前記スクリュープランジャが、前記ハンドルの内側断面と係合する形状である外側断面を備え、それにより前記スクリュープランジャと前記ハンドルとの間の相対回転が制限されるが、長手方向軸に沿った移動は可能である、請求項１に記載のディスペンサー。
【請求項３】
前記カバー及び前記カートリッジを格納位置へと弾性的に付勢して、前記カバー及び前記カートリッジをバネ力によって前記分配位置から前記格納位置へと自動的に復帰させる復帰バネを更に含む、請求項１又は２に記載のディスペンサー。
【請求項４】
前記復帰バネが、前記カバー及び前記カートリッジを復帰させ、その結果、開いた回転すべり弁を通って押し出されている歯科材料をバネ力によって切り離すために足る力を与えるように構成される、請求項３に記載のディスペンサー。
【請求項５】
前記カートリッジと前記カバーとの間に、前記長手方向軸を中心としたカートリッジ周上の少なくとも一部にわたって間隙が設けられている、請求項１〜４のいずれか一項に記載のディスペンサー。
【請求項６】
前記ハンドル内に収容された充填レベル表示器を備え、前記ハンドルが半透明又は透明の壁部分を含み、前記充填レベル表示器が、前記半透明又は透明の壁部分の後方に可視となるように配設される、請求項１〜５のいずれか一項に記載のディスペンサー。
【請求項７】
前記半透明又は透明の壁部分が、特定のクラスの材料を示す色を有する、請求項６に記載のディスペンサー。
【請求項８】
前記ディスペンサーに収容された前記歯科材料の色とほぼ対応する歯色を示す歯色の符号を更に含む、請求項１〜７のいずれか一項に記載のディスペンサー。
【請求項９】
前記カートリッジが、実質的に球状の端部壁を有し、それを通って前記分配口が前記長手方向軸に対して偏心関係となるように延びる、請求項１〜８のいずれか一項に記載のディスペンサー。
【請求項１０】
前記スクリュープランジャに回転可能に配設されているピストンを更に含む、請求項９に記載のディスペンサー。
【請求項１１】
前記ピストンが、前記カートリッジの端部壁に一致するような実質的に球状の正面を有する、請求項１０に記載のディスペンサー。
【請求項１２】
前記ピストンが、前記長手方向軸に沿った次元内で気体又は空気を透過可能であるが、同一次元内で前記ピストンを通って前記歯科材料が浸透しないように適合される、請求項９〜１１のいずれか一項に記載のディスペンサー。
【請求項１３】
前記カバー及び前記ハンドルが互いに直接スナップ嵌めされ、前記スナップ嵌めがハンドルとカバーとの係合構造がなす係合によって提供され、前記係合構造以外に、前記カバーと前記ハンドルとの間の間隙を封止するためのシールが付与される、請求項１〜１２のいずれか一項に記載のディスペンサー。
【請求項１４】
前記カートリッジが、実質的に均一な断面で前記長手方向軸に沿って延びる側壁を有し、かつ前記側壁が実質的に均一な厚みを有する、請求項１〜１３のいずれか一項に記載のディスペンサー。
【請求項１５】
前記カバー及び前記ハンドルが、前記カートリッジの一部が露出するように互いに離間される、請求項１〜１４のいずれか一項に記載のディスペンサー。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
拡張された形状記憶合金から形成された外側フレームと、
初期形状から拡張された第１部分と、初期形状から圧縮された第２部分と、を有する形状記憶合金から形成された内側フレームであって、前記内側フレームは、人工弁小葉アセンブリを前記第１部分内に支持するように構成され、前記内側フレームは、前記第２部分内で繋ぎ材に係合するように構成される、内側フレームと、を備え、
前記内側フレームが前記外側フレームに結合される、装置。
【請求項２】
前記外側フレームに形成されたＸ線不透過性インジケータをさらに備える、請求項１に記載の装置。
【請求項３】
前記内側フレーム内に支持された前記人工弁小葉アセンブリをさらに備える、請求項１に記載の装置。
【請求項４】
前記繋ぎ材をさらに備え、前記内側フレームの前記第２部分が、前記人工弁小葉アセンブリによって部分的に規定される流れ軸に沿って前記繋ぎ材の端部の周囲に圧縮される、請求項１に記載の装置。
【請求項５】
前記内側フレームが機械的結合具によって前記外側フレームに接続される、請求項１に記載の装置。
【請求項６】
前記外側フレームが、前記内側フレームとは別個に形成されて前記内側フレームに結合される、請求項１に記載の装置。
【請求項７】
拡張された形状記憶合金から形成された外側フレームと、
形状記憶合金から形成されて前記外側フレームに結合された内側フレームと、
前記内側フレームの第１部分内に配置された人工弁小葉アセンブリと、
繋ぎ材であって、前記内側フレームの第２部分が前記繋ぎ材の端部の周囲に圧縮される、繋ぎ材と、を備える装置。
【請求項８】
前記内側フレームの前記第２部分が、前記人工弁小葉アセンブリによって部分的に規定される流れ軸に沿って前記繋ぎ材の前記端部の周囲に圧縮される、請求項７に記載の装置。
【請求項９】
前記外側フレームにＸ線不透過性インジケータをさらに備える、請求項８に記載の装置。
【請求項１０】
前記内側フレームが機械的結合具によって前記外側フレームに接続される、請求項８に記載の装置。
【請求項１１】
前記外側フレームが、前記内側フレームとは別個に形成されて前記内側フレームに結合される、請求項８に記載の装置。
【請求項１２】
前記繋ぎ材の前記端部が第１端部であり、前記繋ぎ材の第２端部が、前記内側フレームの前記第２部分から遠ざかるように延在する、請求項８に記載の装置。
【請求項１３】
前記外側フレーム、前記内側フレーム及び前記人工弁小葉アセンブリが、心臓の房室弁の固有の環状部に送達されるように構成され、前記繋ぎ材は、前記外側フレームが心臓の房室弁の固有の環状部内に配置される時に、房室弁の心室の壁の開口を通って前記内側フレームの前記第２部分から前記壁から出るように延在するのに十分な長さを有する、請求項１２に記載の装置。
【請求項１４】
前記外側フレームの遠位端は前記内側フレームの遠位端に遠位に配置される、請求項８に記載の装置。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
酵素に暴露されたときに検出可能マーカーがバイオマーカーナノ粒子から放出される、マイクロドーズのバイオマーカーナノ粒子を投与されている対象からの生体試料を準備すること；および
生体試料における検出可能マーカーの存在が対象内に活性型で存在する酵素を示す、検出可能マーカーの存在を検出するために捕捉アッセイを使用して生体試料を分析すること
を含み、任意に、マイクロドーズは１００マイクログラム未満である、インビトロ方法。
【請求項２】
生体試料が、検出可能マーカーをバイオマーカーナノ粒子から放出する身体部位から離れた身体部位から採取され、生体試料が、任意に、尿である、請求項１に記載のインビトロ方法。
【請求項３】
バイオマーカーナノ粒子が酵素感受性検出可能マーカーに連結したキャリアドメインを有するモジュール構造を含み、酵素検出可能マーカーが検出可能マーカーに連結した酵素感受性ドメインから構成されており、検出可能マーカーが、任意に、リンカーによって接続された捕捉リガンドと検出リガンドである、請求項１または２に記載のインビトロ方法。
【請求項４】
検出試薬が結合する規定領域を有する膜、任意に、ニトロセルロース膜と、生体試料が膜に送達され、かつ膜に沿って移動することができるように生体試料を膜と接触させて収容することができるリザーバーと、膜上にコンジュゲートパッドとを含むハウジング（housing）を含み、
捕捉リガンドに結合するアフィニティ剤がコンジュゲートパッドに関連しており、生体試料が妊娠タンパク質を含まない、物品。
【請求項５】
アフィニティ剤が金ナノ粒子に結合したストレプトアビジンであり、捕捉リガンドがビオチンである、請求項４に記載の物品。
【請求項６】
検出試薬が検出リガンドに特異的な抗体であり、任意に、抗体がａ−ＦＡＭ抗体である、請求項４に記載の物品。
【請求項７】
バイオマーカーナノ粒子が酵素感受性検出可能マーカーに連結したキャリアドメインを有するモジュール構造を含み、酵素感受性検出可能マーカーが検出可能マーカーに連結した酵素感受性ドメインから構成されていることにより、酵素に暴露されたときに、検出可能マーカーをバイオマーカーナノ粒子から放出することができ、かつ検出可能マーカーがリンカーによって接続された捕捉リガンドと検出リガンドとを含み、生体試料が、検出可能マーカーをバイオマーカーナノ粒子から放出する身体部位から離れた身体部位から採取される、バイオマーカーナノ粒子を投与されている対象からの生体試料を準備すること；および
生体試料における検出可能マーカーの存在が対象内に活性型で存在する酵素を示す、検出可能マーカーの存在を検出するために捕捉アッセイを用いて生体試料を分析すること
を含むインビトロ方法。
【請求項８】
捕捉リガンドが酵素感受性ドメインに連結しており、検出リガンドが酵素感受性ドメインに連結している、請求項７に記載のインビトロ方法。
【請求項９】
捕捉アッセイがアフィニティ剤に対する捕捉リガンドの結合を含む、請求項７に記載のインビトロ方法。
【請求項１０】
捕捉リガンドがタンパク質、ペプチド、多糖、核酸、蛍光分子または小分子であり、任意に、捕捉リガンドがビオチンであり、かつアフィニティ剤がストレプトアビジンである、請求項９に記載のインビトロ方法。
【請求項１１】
リンカーが、ＰＥＧなどのポリマー、タンパク質、ペプチド、多糖、核酸または小分子である、請求項７に記載のインビトロ方法。
【請求項１２】
酵素感受性検出可能マーカーが、疾患または状態に関連しないが正常状態に関連するプロテアーゼによる切断に感受性がある、請求項７〜１１のいずれか一項に記載のインビトロ方法。
【請求項１３】
検出シグナルを正規化するために遊離レポーターを対象に投与することをさらに含む、請求項７〜１２のいずれか一項に記載のインビトロ方法。
【請求項１４】
薬物送達区画を有する経皮パッチであって、薬物送達区画がバイオマーカーナノ粒子を含み、バイオマーカーナノ粒子が酵素に暴露されたときにバイオマーカーナノ粒子から放出することができる酵素感受性検出可能マーカーに連結したキャリアドメインを有するモジュール構造を含む、前記経皮パッチ。
【請求項１５】
バイオマーカーナノ粒子を含む組成物であって、バイオマーカーナノ粒子が、酵素および遊離レポーターに暴露されたときにバイオマーカーナノ粒子から放出することができる酵素感受性検出可能マーカーに連結したキャリアドメインを有するモジュール構造を含む、前記組成物。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
細長いカテーテルシャフトと、
前記カテーテルシャフトに位置決めされた膨張可能なバルーンと、
前記バルーンにカッティングまたはスコアリング機能を実行させない第１位置及び前記バルーンにカッティングまたはスコアリング機能を実行させる第２位置の間で可動である少なくとも１つのカッティングまたはスコアリング要素と、を備え、
前記少なくとも１つのカッティングまたはスコアリング要素は前記第２位置のときに前記バルーンの周りにループまたは回旋を形成する単一の細長い部材を備えている、
バルーンカテーテル装置。
【請求項２】
前記少なくとも１つのカッティングまたはスコアリング要素は、前記第２位置のときに前記バルーンの周りに螺旋回旋を形成する単一の細長い部材を備えている、
請求項１に記載の装置。
【請求項３】
膨張収縮内腔が前記カテーテルシャフトを介して拡張し、前記バルーンの膨張収縮のために使用可能である、
請求項１に記載の装置。
【請求項４】
前記バルーンは外表面を有し、ｉ）前記カッティングまたはスコアリング要素が前記第１位置のとき、前記バルーンの膨張によりカッティングまたはスコアリング機能を奏する態様で、前記カッティングまたはスコアリング要素を前記バルーンの前記外表面上で拡張しない、かつｉｉ）前記カッティングまたはスコアリング要素が前記第２位置のとき、前記バルーンの膨張によりカッティングまたはスコアリング機能を奏する態様で、前記カッティングまたはスコアリング要素を前記バルーンの前記外表面の少なくとも一部上で拡張する、
請求項１に記載の装置。
【請求項５】
前記カッティングまたはスコアリング要素は、前記第１位置のとき、前記バルーンに近接のカテーテルシャフト内に位置決めされた細長い部材を備えている、
請求項１に記載の装置。
【請求項６】
前記カッティングまたはスコアリング要素は、前記第１位置のとき、前記カテーテルシャフト内で線形形状になっており、前記要素が前記バルーンの周りの遠位方向で前記第２位置に進むにつれて螺旋形状になる、
請求項５に記載の装置。
【請求項７】
前記装置は、更に、前記バルーンに対して遠位に位置決めされた遠位部分を備え、前記カッティングまたはスコアリング要素は、前記第１位置のとき、前記遠位部分内に位置決めされる細長い部材からなる、
請求項１に記載の装置。
【請求項８】
前記装置は、更に、前記カッティングまたはスコアリング要素の近位端に取り付けられた引張部材を備え、前記引張部材によって近位方向にひかれたとき、前記カッティングまたはスコアリング要素は、前記バルーンの周りを螺旋回旋状に進む、
請求項７に記載の装置。
【請求項９】
前記引張部材は、前記カッティングまたはスコアリング要素が前記第１位置のとき、前記バルーン側に沿って拡張する、
請求項８に記載の装置。
【請求項１０】
前記引張部材は、前記カッティングまたはスコアリング要素が前記第１位置にありながら、前記バルーンが血管内で膨張された場合に、血管壁の臨床的に顕著なカッティングまたはスコアリングが生じないような大きさと形状にされる、
請求項９に記載の装置。
【請求項１１】
前記カッティングまたはスコアリング要素の遠位部位が前記装置の前記遠位部分に取り付けられる、
請求項８に記載の装置。
【請求項１２】
前記カッティングまたはスコアリング要素が、必要に応じて前記カテーテルシャフトに完全に引き込まれるように、前記装置の前記遠位部分に対する前記カッティングまたはスコアリング要素の前記遠位部位の前記アタッチメントが取り外し可能になっている、
請求項１１に記載の装置。
【請求項１３】
前記カテーテルシャフトは、
更に、遠位カッティングまたはスコアリング要素の出口開口を有するカッティングまたはスコアリング要素内腔を備え、
前記カッティングまたはスコアリング要素の出口開口は前記バルーンの近位に配置され、
前記カッティングまたはスコアリング要素は細長い部材を備え、その部材は前記カッティングまたはスコアリング要素が前記カッティングまたはスコアリング要素内腔内の第１位置に戻ったとき概直線形状となり、前記カッティングまたはスコアリング要素が前記カッティングまたはスコアリング要素の出口開口から外に進み前記バルーンの外表面の周りであるときに、コイル状の形状となる構造とされている、
請求項５に記載の装置。
【請求項１４】
前記カッティングまたはスコアリング要素がワイヤを備えている、
請求項１に記載の装置。
【請求項１５】
前記カッティングまたはスコアリング要素がニッケルチタンワイヤを備えている、
請求項８に記載の装置。
【請求項１６】
前記カッティングまたはスコアリング要素は、前記カッティングまたはスコアリング要素が前記第１位置と前記第２位置を移動するに伴って前記バルーンに損傷を与えない丸くなった遠位チップを有する、
請求項１に記載の装置。
【請求項１７】
前記カッティングまたはスコアリング要素は、概管状構造を有し、
前記第１位置にあるときに前記バルーンに対して近位の位置に戻ることができ、前記第２位置あるときに前記バルーンの少なくとも一部を囲む位置に進むことができる、
請求項１に記載の装置。
【請求項１８】
前記カッティングまたはスコアリング要素は、概管状構造を形成する螺旋ワイヤコイルを備えている、
請求項１７に記載の装置。
【請求項１９】
更に、前記カッティングまたはスコアリング要素が前記第１位置と前記第２位置の間で前後に前進及び後退するのを促進する可動シースを備えている、
請求項１７に記載の装置。
【請求項２０】
前記カテーテルシャフトは、前記バルーンが搭載される内部カテーテルシャフトと前記内部カテーテルシャフトが通過して延びる外部カテーテルシャフトを備え、
前記可動シースが前記外部カテーテルシャフトの周りに位置決めされ、近位及び遠位部材が前記外部カテーテルシャフト上の間隔を置いて離れた場所に形成され、前記カッティングまたはスコアリング要素は前記外部カテーテルシャフトの周りで前記第１位置にあるとき前記近位及び遠位部材の間に配置可能であり、前記近位及び遠位部材は前記カッティングまたはスコアリング要素が前記第１位置と前記第２位置の間で前後に移動するのを促進するために、独立に伸縮可能である、
請求項１９に記載の装置。
【請求項２１】
前記近位及び遠位部材はバルーンを備えている、
請求項２０に記載の装置。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
不活性酸性セラミダーゼ前駆体を含有する培地を提供する段階；
不活性酸性セラミダーゼ前駆体の一部を活性酸性セラミダーゼに変換するのに有効な条件下で該培地をインキュベートする段階；
インキュベートした培地を、不活性酸性セラミダーゼ前駆体および活性酸性セラミダーゼを含むセラミダーゼ混合物として回収する段階；および
酸性スフィンゴミエリナーゼ活性を治療用組成物から取り除く段階
を含む、治療用組成物を生成する方法。
【請求項２】
不活性酸性セラミダーゼ前駆体、および
活性酸性セラミダーゼ
を含むセラミダーゼ混合物と；
薬学的に許容される担体と
を含む治療用組成物であって、該治療用組成物から酸性スフィンゴミエリナーゼ活性が取り除かれている、前記治療用組成物。
【請求項３】
セラミダーゼ混合物において、不活性酸性セラミダーゼ前駆体の量が活性酸性セラミダーゼの量より多い、請求項2に記載の治療用組成物。
【請求項４】
セラミダーゼ混合物において、不活性酸性セラミダーゼ前駆体の量が活性酸性セラミダーゼの量より少ない、請求項2に記載の治療用組成物。
【請求項５】
セラミダーゼ混合物が、5〜95重量％の不活性酸性セラミダーゼ前駆体および95〜5重量％の活性酸性セラミダーゼを含む、請求項2に記載の治療用組成物。
【請求項６】
セラミダーゼ混合物が、20〜80重量％の不活性酸性セラミダーゼ前駆体および80〜20重量％の活性酸性セラミダーゼを含む、請求項5に記載の治療用組成物。
【請求項７】
セラミダーゼ混合物が、30〜70重量％の不活性酸性セラミダーゼ前駆体および70〜30重量％の活性酸性セラミダーゼを含む、請求項5に記載の治療用組成物。
【請求項８】
セラミダーゼ混合物が、40〜60重量％の不活性酸性セラミダーゼ前駆体および60〜40重量％の活性酸性セラミダーゼを含む、請求項5に記載の治療用組成物。
【請求項９】
セラミダーゼ混合物が、55〜95重量％の不活性酸性セラミダーゼ前駆体および45〜5重量％の活性酸性セラミダーゼを含む、請求項5に記載の治療用組成物。
【請求項１０】
セラミダーゼ混合物が、70〜95重量％の不活性酸性セラミダーゼ前駆体および30〜5重量％の活性酸性セラミダーゼを含む、請求項5に記載の治療用組成物。
【請求項１１】
セラミダーゼ混合物が、80〜90重量％の不活性酸性セラミダーゼ前駆体および20〜10重量％の活性酸性セラミダーゼを含む、請求項5に記載の治療用組成物。
【請求項１２】
アジュバントをさらに含む、請求項2に記載の治療用組成物。
【請求項１３】
アジュバントが、フラゲリン、フロイント完全または不完全アジュバント、水酸化アルミニウム、リゾレシチン、pluronicポリオール、ポリアニオン、ペプチド、油乳剤、ジニトロフェノール、iscomatrix、およびリポソームポリカチオンDNA粒子からなる群より選択される、請求項12に記載の治療用組成物。
【請求項１４】
不活性酸性セラミダーゼ前駆体、および
活性酸性セラミダーゼ
を含むセラミダーゼ混合物を含む、薬学的組成物であって、該薬学的組成物から酸性スフィンゴミエリナーゼ活性が取り除かれている、前記薬学的組成物。
【請求項１５】
前記セラミダーゼ混合物により軟骨細胞が生成される、請求項14に記載の薬学的組成物。
【請求項１６】
前記軟骨細胞の生成が、
軟骨細胞に分化する可能性を有する細胞の集団を選択する段階、および
選択した細胞の細胞集団を前記セラミダーゼ混合物で処置し、選択した集団中の1つまたは複数の細胞を軟骨細胞へと変換する段階
を含む、請求項15に記載の薬学的組成物。
【請求項１７】
前記セラミダーゼ混合物により軟骨形成が促進される、請求項14に記載の薬学的組成物。
【請求項１８】
前記軟骨形成の促進が、
軟骨細胞への分化の必要がある幹細胞の集団を選択する段階；
該幹細胞の集団を前記セラミダーゼ混合物で処置し、該幹細胞集団内の間葉系幹細胞を濃縮する段階；および
濃縮した間葉系幹細胞の集団を該セラミダーゼ混合物で処置し、間葉系幹細胞の軟骨細胞への分化を促進する段階
を含む、請求項17に記載の薬学的組成物。
【請求項１９】
対象における関節の疾患または障害を処置するための、請求項14に記載の薬学的組成物。
【請求項２０】
対象におけるセラミド蓄積感染を処置するための、請求項14に記載の薬学的組成物。
【請求項２１】
培地が細胞培養培地である、請求項1に記載の方法。
【請求項２２】
不活性酸性セラミダーゼ前駆体および活性酸性セラミダーゼが、組換え的に産生されたヒト酸性セラミダーゼである、請求項1に記載の方法。
【請求項２３】
細胞培養培地を凍結する段階、または細胞培養培地を4℃で保存する段階
をさらに含む、請求項21に記載の方法。
【請求項２４】
インキュベートする段階が、8時間以下、4℃〜37℃の温度で実施され、それによって、不活性酸性セラミダーゼ前駆体の少量部分を活性酸性セラミダーゼへと変換する、請求項1に記載の方法。
【請求項２５】
酸性スフィンゴミエリナーゼ活性を治療用組成物から取り除く段階が、培地を、40〜60分間、または好ましくは20〜40分間、またはより好ましくは10〜20分間、60℃の温度に加熱する段階を含む、請求項1に記載の方法。